(57)【要約】ビルディング（１〜５）を周辺領域と相互作用をして影響し合う外部位置と避難、保護位置との間で推移する垂直推移手段を備えたビルディング（１〜６）である。垂直推移手段（４〜５）はビルディング（１〜５）を水力の底荷の避難に対応する前記外部位置と水力の底荷（４）の充填に対応する前記避難位置との間で推移する水力底荷の形成手段（４）を具備している。ビルディング（１〜６）は自然環境の中に植設されかつ垂直推移手段（４〜５）とは独立している技術的機構（６）を有している。
2008545911.tif 000002
【特許請求の範囲】
【請求項１】
ビルディング（１〜５，３１〜３８）を周辺領域と相互作用にて影響し合う外部位置と避難、保護位置との間で推移する垂直推移手段（４〜５，３４）を具備するビルディング（１〜６，３１〜３８）であって、換言すれば、垂直推移手段（４〜５，３４）は水力の底荷の避難に対応する前記外部位置と水力の底荷（４，３４）の充填に対応する前記避難、保護位置との間でビルディング（１〜５，３１〜３８）を推移する水力の底荷形成手段を含み、それによってビルディング（１〜６，３１〜３８）は自然環境に直立し、その結果、ビルディング（１〜６，３１〜３８）の少なくとも１つの階（２または３，３２または３３）の非常出口に対応するビルディングの前記外部位置が自然環境の平面上に位置し、ビルディング（１〜６，３１〜３８）の推移終了に対応する前記避難位置が自然環境の平面下に配置され、ビルディング（１〜６，３１〜３８）が自然環境の中に植設されかつ垂直推移手段とは独立した技術的機構（６）を含む事実によって特徴付けられたビルディング。
【請求項２】
ビルディングが地面の一部に直立させられ、それによってビルディング（１〜５）の少なくとも１つの階の非常口に対応するビルディング（１〜５）の前記外部位置が地面の上部に配置され、ビルディング（１〜５）の推移終了に対応する前記避難、保護位置が地面内に配置されることを特徴付けられ、ビルディングを外部位置と避難位置に推移する垂直推移手段を具備する請求項１に記載のビルディング。
【請求項３】
前記技術的機構（６）は物体を収容する空間（１０）を備え、非常口（１１）が障害物によって妨害を受けることになった際に、前記非常出口（１１）から下に落下させる請求項１または２に記載のビルディング。
【請求項４】
前記非常出口（１１）は階段、エレベータ、梯子、起重機あるいは他の推移手段（１３）に連絡されている請求項３に記載のビルディング。
【請求項５】
前記推移手段（１３）、即ち階段、エレベータ、梯子あるいは他の起重機は提出される任意の物体を解放する非常口（１１）の解放位置と居住者（１〜６）を避難させる非常口（１１）の連絡位置との間で水平方向（１４）に推移する請求項４に記載のビルディング。
【請求項６】
外部位置と避難位置の間でビルディングを推移する垂直推移手段を具備し、その中でビルディングが水中環境で直立させられ、それによって、ビルディングの少なくとも１つの階（３２，３３）の非常口に対応するビルディングの前記外部位置は水面の上に配置され、ビルディングの浸積部に対応する避難位置は平面の下に配置されるビルディング。
【請求項７】
１つまたはそれ以上の固定されたポールまたは柱（３０）を含み、それらの柱（３０）は水中環境の中に植設され、垂直推移の間ビルディングを案内、制御の保障をする請求項６に記載のビルディング。
【請求項８】
非常出口はエアロック機構により少なくともビルディングの内部に連絡されている請求項６または７に記載のビルディング。
【発明の詳細な説明】
【技術分野】
【０００１】
本発明は垂直に変位（推移）する手段を具備したビルディングに関する。
【０００２】
本発明において、ビルディングという語は、この構造物が感知される自然の環境に従って適当に“不動の構造物”あるいは“浮動する構造物”ということを意味する。
【背景技術】
【０００３】
これらのビルディングは、例えばなだれ、洪水、地震、竜巻（サイクロン）、嵐あるいは他の気象に関する出来事の如き自然の大異変の危険による攻撃を受けやすい。
【０００４】
これらのビルディングは、また、外敵の侵入及び個人による攻撃によって発生される危険、有毒生成物の散乱、バクテリア、ラジオ放射線の発生または爆発による危険によって攻撃を受けやすい。
【０００５】
現在の且つ予知できる危険の重要性を考慮に入れる際に、ビルディングはここに収容される個人及び財産を保護するに十分な許容は何もない。
【発明の開示】
【発明が解決しようとする課題】
【０００６】
本発明の第１の目的は、ビルディングに収容された財産、科学技術及び個人を保護する改良された手段を提供することにある。
【０００７】
本発明の第２の目的は、簡単で且つ経済的な設計のビルディングによる改良された保護手段を提供することにある。
【課題を解決するための手段】
【０００８】
本発明は、垂直方向に推移する手段を有するビルディングを主構成要素としており、該移動手段は、周辺領域と相互作用を有する外部位置と遮蔽、保護位置との間でビルディングを移動し、逆に、その中で垂直推移手段は水力の底荷を形成する手段を含み、ビルディングを水力の底荷を退避させることに符合する前記外部位置と水力の底荷を満たすことに符合する前記保護位置との間で推移して、それによってビルディングを自然環境の中で直立させ、それによって自然環境の平面上のビルディングの少なくとも１つの階である非常の場合の対応するビルディングの前記外部位置及び自然環境の平面の下のビルディングの推移に対応する前記避難位置はビルディングの技術的機構が自然環境の中に植え付けられておりしかもそれは垂直推移手段と独立して構成される事実によって特徴付けられている。
【０００９】
本発明の他の代案としての特徴は下記の通りである。
【００１０】
ビルディングが地面の片隅に直立している時に、ビルディングの少なくとも１つの階である非常の場合に対応するビルディングの前記外部位置が地面の上部にあり、ビルディングの折り畳み部に対応する前記避難位置が地面の中にある。
【００１１】
前記技術的機構は非常出口を妨害するようになる物体を収容するスペースを有し、それらが開口された際にそれらの物体が非常出口から落下する。
【００１２】
非常出口は階段、エレベータ、梯子、起重機、あるいは他の昇降手段に結合されている。
【００１３】
前記昇降手段、即ち、階段、エレベータ、梯子、あるいは他の起重機は提供された任意の物体を解放して非常出口をクリーニングする位置と居住者を避難させて非常出口に導く位置との間で水平に推移することができる。
【００１４】
ビルディングが水中環境の中で直立された際には、ビルディングの少なくとも１つの階である非常の場合に対応するビルディングの前記外部位置は水平面の上部にあり、ビルディングの浸漬位置に対応する前記避難位置は水平面の下部にある。
【００１５】
ビルディングは水中環境に植設されかつ垂直推移の間ビルディングを案内制御する１つあるいはそれ以上の静止されたポールあるいは柱を含んでいる。
【００１６】
ビルディングはエアロック機構によって少なくともビルディングの内側に連結される非常出口を有している。
【００１７】
本発明は添付図面を参照しながら限定されない実施例により与えられる以下の説明を読むことによってより良く理解される。
【発明を実施するための最良の形態】
【００１８】
次に本発明を実施するための最良の形態について詳細に説明する。
【００１９】
図１〜図３を参照するに、同一のあるいは機能的に同等の要素には同一の参照番号が付されている。
【００２０】
図１において、本発明に係るビルディングは周辺領域と相互作用をする外部位置に示されている。
【００２１】
本発明に係るビルディングは、屋根１を形成するのに好ましい植物を成長させるカバーを含んでいる。
【００２２】
本発明に係るビルディングは、また、底荷として機能する密閉されたタンク４と構成要素をなす２階２及び１階３を含んでいる。
【００２３】
要素１〜４のすべては底荷４の底部に設けられた貯水槽５により働かされる水圧力によって外部位置に保持され、底荷４の水は後に排泄される。
【００２４】
技術的機構６は垂直推移手段４、５とは独立して、地面に植え込まれる。
【００２５】
図１において、１階は自動車７あるいは任意の他の交通手段により使用され、道路にアクセス可能なガレージを含んでいる。
【００２６】
外部位置から避難位置に通過する垂直推移に際して、底荷４を包囲するビルディングの低部は密閉タンク即ち底荷４の縁部に３個ずつアレンジされた多数の小さい車輪８によって案内される。
【００２７】
図２において、貯水槽５からの水は底荷４に浸透してビルディングの垂直下降を惹起する。ポンプ手段は底荷４の中に沈められて水の絞り出しが行われると共に、周辺領域との相互作用のための外部位置におけるビルディングの垂直推移が惹起される。
【００２８】
図２に示される如き避難、保護位置において、成長力のある屋根１は地面で元気になり、そのために本発明に従ってビルディングを推移して完全に地面から離れる。
【００２９】
自動車７は１階３の内部に保護され、一方２階２は本発明に係るビルディングの居住者の保護を保障する。
【００３０】
図３において、本発明に係るビルディングの技術的機構６が示されている。
【００３１】
地面に植設された技術的機構６は、下方位置の高い位置に設けられた非常の場合の出口１１の開口部を妨げる落下した岩石、泥、粗石、瓦礫、雪あるいは水、または他の物体を収容および蓄積する空間１０を備えている。
【００３２】
しかして、非常出口１１の開口部で、非常出口をふさいだ物体は矢印１２の方向に垂直に落下して非常出口１１を片付ける。
【００３３】
この開口部１１が片付けられた後に、階段、エレベータ、梯子、起重機あるいは同等の形式のもの１３等の適宜の推移手段によって矢印１４の方向に推移され、それによって居住者の避難が行われる。
【００３４】
矢印１４の方向への推移は、邪魔になる物体を片付けて非常出口を開放する仕方と非常出口を接続して居住者を非難させる仕方の両方を逆にしても適用することができる。
【００３５】
しかして、通常の安全な状態において、階段、エレベータあるいは他の形式のドア等の推移手段は、非常出口１１とは通用せずに、それ自身内方に倒れるダブルドア、スライドする幅の広い厚板等により閉塞されている。
【００３６】
落下物（岩）または他の物体を収容するスペース１０の上方に位置している平面１５には若干の貯蔵タンクが配列されており、第１のタンク１６には飲用水が貯えられ、第２のタンク１７には雨水が貯えられ、第３のタンク１８には燃料が貯えられており、他のタンクには任意に選択された廃水、流出水等が収容されている。
【００３７】
空間部分１０及び１５へのアクセスは便宜上梯子あるいは歩道１９によって行われる。
【００３８】
階段あるいはエレベータ１３に対応する空間部分１５を覆っている階上に、電気的手段が室２０に配列されており、これらの電気的手段は低電圧発生器あるいは電気的エネルギーまたは電力、他の源泉を含んでいる。
【００３９】
コンピュータ及び情報通信室２１には、次の設備がなされており、空気処理及び空気、水の洗浄手段は便宜上室２２に設けられ、室２２は保護用エアロックあるいは絶縁部分を備えた室２３に隣接した位置にある。
【００４０】
このような配列構成において、室２０内に存在する制御指令を室２３に伝達するのに、階段あるいは移送手段１３を介して容易にアクセスすることができる。
【００４１】
次に図４及び図５を参照するに、同一のあるいは機能的に同等の要素には同一の参照番号が付されている。
【００４２】
図４及び図５において、本発明に係るビルディングは１つまたはそれ以上の柱３０によって案内され、例えば４つの柱３０はビルディングを垂直方向に移送する。
【００４３】
本発明に係るビルディングは周辺領域と相互作用するように外部位置に示され、例えば、水中の環境と通信する平面３１を有し、第２の床３２及び第３の床３３を備えている。
【００４４】
本発明に係るビルディングは、下方向部分に水中の環境と通信する底荷手段３４を含んでいる。
【００４５】
平面３１の下方向位置に水中の環境と通信するための技術的機構が設けられている。これらの技術的機構は水の洗浄及び汚染除去手段を含み、１つあるいはもっと多くの電気発生器、空気洗浄手段及び図３に関して記述されたタンクを類似の複数の貯蔵タンクを有している。
【００４６】
詳しくは示されていないが、ポンプ手段３６は底荷３４に浸される。
【００４７】
水中環境と通信する下方の平面３１はボート３７あるいは他の船のガレージに隣接して配列されている。
【００４８】
本発明に係るビルディングは、例えば、調和する柱３０のそれよりも直径がより大きくしかも適宜の制御システムを備えた開口部を含む若干の制御突起部３８を具備することが好ましい。
【００４９】
また本発明に係るビルディングはエアロック機構によってビルディングの内側に及び１つまたはより多くの柱３０の内側に結合される非常出口を設けることが望ましい。
【００５０】
以上本発明はその良好な２つの実施例について説明されたが、本発明はこれらの実施例に限定されるものではなく、逆に本発明の精神及び構造の範囲内で本発明は本実施例の種々の変形、変更、修飾が想起されるが、それらはすべて本発明の範囲内に包含されるものである。
【図面の簡単な説明】
【００５１】
【図１】図１は周辺領域と相互作用のために外部位置における地面の一部に直立され本発明に係るビルディングの一部垂直断面を有する立面をブロック線図的に示す立面図である。
【図２】図２は避難保護位置における地面の一部に直立された本発明に係るビルディングの一部垂直断面を有する立面をブロック線図的に示す立面図である。
【図３】図３は地面の一部に直立された本発明に係るビルディングの技術的機構の一部断面を示す斜視図である。
【図４】図４は水平環境における本発明に係るビルディングの一部断面を有する垂直立面をブロック線図的に示す立面図である。
【図５】図５は水平環境における一部断面を有する本発明に係るビルディングをブロック線図的に示す部分斜視図である。
【図１】
2008545911.tif 000003
【図２】
2008545911.tif 000004
【図３】
2008545911.tif 000005
【図４】
2008545911.tif 000006
【図５】
2008545911.tif 000007
【国際調査報告】
2008545911.tif 000008
2008545911.tif 000009
2008545911.tif 000010
2008545911.tif 000011
2008545911.tif 000012
2008545911.tif 000013
2008545911.tif 000014
2008545911.tif 000015
2008545911.tif 000016
2008545911.tif 000017